(57)【要約】  【課題】  通勤電車内などの狭い空間では新聞を読む事が困難であるが、効率的な器具は考案されていない。  【解決手段】  第１の板、および、第２の板を有し、前記第１および第２の板を連結する側面連結部を有し、少なくとも第１の板が透明であり、前記第１の板と前記側面連結部は略線状に連結され、前記略線状の連結部と前記第２の板との間隔が３ｍｍ以下であり、前記第１の板は前記略線状の連結部を中心に９０度以上回転する事を特徴とする、ホルダーを提供する。  【選択図】  図１
2009286015.tif 000002
【特許請求の範囲】
【請求項１】
第１の板、および、第２の板を有し、前記第１および第２の板を連結する側面連結部を有し、少なくとも第１の板が透明であり、前記第１の板と前記側面連結部は略線状に連結され、前記略線状の連結部と前記第２の板との間隔が３ｍｍ以下であり、前記第１の板は前記略線状の連結部を中心に９０度以上回転する事を特徴とするホルダー。
【請求項２】
前記側面連結部が弾性変形し、前記略線状の連結部と前記第２の板との間隔が変化する請求項１に記載のホルダー。
【請求項３】
前記第１の板の厚みは、前記略線状の連結部近傍の略帯状領域において、他の領域より薄い請求項１に記載のホルダー。
【発明の詳細な説明】
【技術分野】
【０００１】
本発明は、新聞などを保持し読みやすくするホルダーに関する。
【背景技術】
【０００２】
通勤電車内で新聞を読みたい人が多い。しかし、新聞を拡げて読む空間が無い。狭い空間でも効率的に読む便利な器具が求められている。
【０００３】
そこで、図１２の様なホルダーが提案されている（特許文献１）。図１２において、２０１は透明薄板、２０２は透明小薄板である。新聞を２枚の透明薄板２０１の間に挟み、透明薄板２０１よりはみ出した新聞の端を折り返し、透明小薄板２０２に差し込む。２枚の透明薄板２０１を開閉して新聞を読む。しかし、図１２のホルダーでは、２枚の透明薄板２０１の外側に透明小薄板２０２を取り付ける必要があり、構造が複雑であり、製造コストが高くなる。
【０００４】
あるいは、図１３の様なホルダーも提案されている（特許文献２）。図１３において、３０１は透明板、３０２は背幅部、３０３はクリップである。２枚の透明板３０１を背幅部３０２で連結している。背幅部３０２の内側にはクリップ３０３を取り付け、新聞の中央の折り部をクリップ３０３に装着する。２枚の透明板３０１を開閉して新聞を読む。しかし、新聞の上端のみをクリップで固定するので、透明板３０１を開閉する際に、新聞束がばらける可能性がある。
【特許文献１】実開平２−４１９８１号公報
【特許文献２】特開２００４−８２５０８号公報
【発明の開示】
【発明が解決しようとする課題】
【０００５】
本発明は、前述の課題を解決するもので、狭い空間でも新聞などを効率的に読む事ができ、製造コストが低く、新聞などを安定に挟む事ができる、ホルダーを提供する事を目的とする。
【課題を解決するための手段】
【０００６】
本発明のホルダーは、第１の板、および、第２の板を有し、前記第１および第２の板を連結する側面連結部を有し、少なくとも第１の板が透明であり、前記第１の板と前記側面連結部は略線状に連結され、前記略線状の連結部と前記第２の板との間隔が３ｍｍ以下であり、前記第１の板は前記略線状の連結部を中心に９０度以上回転する事を特徴とする。
【０００７】
好ましくは、前記側面連結部が弾性変形し、前記略線状の連結部と前記第２の板との間隔が変化する。この事により、厚い紙束も挟む事ができる。
【０００８】
あるいは、本発明のホルダーは、前記第１の板の厚みは、前記略線状の連結部近傍の略帯状領域において、他の領域より薄い事を特徴とする。
【発明の効果】
【０００９】
本発明のホルダーを用いれば、通勤電車内の様な狭い空間でも、新聞などの束を安定に挟み、折り畳んで、効率的に読む事ができる。
【発明を実施するための最良の形態】
【００１０】
以下、本発明の実施形態について、図面を参照しながら説明する。
【００１１】
（実施形態１）
図１は、本発明の実施形態１のホルダーを閉じた場合の外観図である。図１において、１０１は第１の板、１０２は第２の板、１０３は第１の板と第２の板を連結する側面連結部である。１０４は側面連結部１０３と第１の板１０１を連結する線状の連結部であり、この連結部を中心に第１の板１０１は回転する。
【００１２】
図２は、本発明の実施形態１のホルダーを開いた場合の外観図である。図２において図１と同じ構成要素には同じ符号を付け説明を省略する。図２では、第１の板１０１は線状の連結部１０４を中心に９０度以上回転して開いた場合を示している。
【００１３】
図３は、本発明の実施形態１のホルダーに新聞を挟んだ場合を示す図である。図３において図１および図２と同じ構成要素には同じ符号を付け説明を省略する。新聞は右側で紙を折り畳んで束ねられている。その折り部を、ホルダーの第２の板１０２と線状の連結部１０４の間に差し込む。第１の板が透明ならば、図３の状態で新聞の第１面を読む事ができる。
【００１４】
図４は、本発明の実施形態１のホルダーに挟んだ新聞の第１面を折り返した場合を示す図である。図４において図１ないし図３と同じ構成要素には同じ符号を付け説明を省略する。図２における第１の板１０１の端部１０５（あるいは図３における端部１０５）に沿って、新聞の第１面が折られている。この状態では、新聞の第２面の右側を読む事をできる。
【００１５】
図５は、本発明の実施形態１のホルダーに挟んだ新聞の第２面以降も折り返した場合を示す図である。図５において図１ないし図３と同じ構成要素には同じ符号を付け説明を省略する。図２における第２の板１０２の端部１０６に沿って、新聞の第２面以降が折られている。この状態では、新聞を折り畳んだホルダーの表裏を返せば第３面の左側を読む事をできる。
【００１６】
図６は、本発明の実施形態１のホルダーに挟んだ新聞を開いた場合を示す図である。第１の板１０１は線状の連結部１０４を中心に回転できるので、折り畳んだ新聞を連結部１０４を中心に開く事ができる。この状態では、新聞の第２面の左側、および第３面の右側を読む事ができる。表裏が第３面と第４面の紙を線状の連結部１０４を中心に折れば、新聞の第４面以降も、同様に読む事ができる。
【００１７】
図７は、本発明の実施形態１のホルダーの断面図である。図７において図１ないし図３と同じ構成要素には同じ符号を付け説明を省略する。図８はこのホルダーの側面連結部付近を拡大した断面図である。第２の板１０２と線状の連結部１０４の間に新聞束を挟む。その間隔Ｗは新聞束の厚さ程度に設定し、３ｍｍ以下である。厚い新聞束の場合もあるので、側面連結部１０３が弾性変形し、間隔Ｗが若干大きくできれば好ましい。側面連結部１０３は、一般に樹脂で作られるので弾性変形可能である。また、新聞の記事が載った部分と、新聞紙束の折り畳んだ端部との間隔は、一般に約１ｃｍであり、図８の長さＴも１ｃｍ程度に設定すれば便利である。
【００１８】
本発明のホルダーは、低コストで製造する事ができる。例えば、１枚の樹脂板を温め、折って、塑性変形させて形成する。
【００１９】
以上の様に、本発明のホルダーを用いれば、新聞束を線状に挟んで保持する事ができ、通勤電車内の様な狭い空間でも安定に効率的に折り畳んで読む事ができる。
（実施形態２）
【００２０】
図９は、本発明の実施形態２のホルダーの断面図である。図９において図１ないし図８と同じ構成要素には同じ符号を付け説明を省略する。第１の板の厚さが、略線状の連結部１０４近傍の帯状領域１０７では薄くなっている。帯状領域１０７は自由に湾曲できる。この場合は、図６において、新聞の第１面および第２面（すなわち１枚目）を第３面以降の裏側に、更に折り畳む事ができ、より狭い空間でも効率的に新聞を読む事ができる。
【００２１】
側面連結部の断面形状は、実施形態１および実施形態２の形状に限らない。例えば、図１０あるいは図１１の様な形状でも良い。図１０および図１１において、図１ないし図９と同じ構成要素には同じ符号を付け説明を省略する。図１０の１０８は側面連結部の他の例であり、図１１の１０９は側面連結部の更に他の例である。
【００２２】
以上に開示した実施形態１および２はいずれも本発明の一例を示したに過ぎず、本発明はこれらの実施形態により制限的に解釈されない。本発明の範囲は上記の実施形態ではなく特許請求の範囲によって示され、特許請求の範囲と均等の意味および範囲内でのすべての変更が含まれることが意図される。
【産業上の利用可能性】
【００２３】
本発明のホルダーは新聞ホルダーに有用である。また、書類束を挟んで効率的に読む器具にも利用できる。
【図面の簡単な説明】
【００２４】
【図１】本発明の実施形態１におけるホルダーを閉じた場合の外観図。
【図２】本発明の実施形態１におけるホルダーを開いた場合の外観図。
【図３】本発明の実施形態１のホルダーに新聞を挟んだ場合を示す図。
【図４】本発明の実施形態１のホルダーに挟んだ新聞の第１面を折り畳んだ場合を示す図。
【図５】本発明の実施形態１のホルダーに挟んだ新聞の第２面以降も折り畳んだ場合を示す図。
【図６】本発明の実施形態１のホルダーに挟んだ新聞を開いた場合を示す図。
【図７】本発明の実施形態１のホルダーの断面図。
【図８】本発明の実施形態１のホルダーの側面連結部付近を拡大した断面図。
【図９】本発明の実施形態２のホルダーの断面図。
【図１０】本発明のホルダーの異なる側面連結部の断面図。
【図１１】本発明のホルダーの更に異なる側面連結部の他の断面図。
【図１２】従来のホルダーの説明図。
【図１３】他の従来のホルダーの説明図。
【符号の説明】
【００２５】
１０１  第１の板
１０２  第２の板
１０３  側面連結部
１０４  略線状の連結部
１０５  第１の板の端部
１０６  第２の板の端部
１０７  略線状の連結部近傍の帯状部
１０８  側面連結部の他の例
１０９  側面連結部の更に他の例
２０１  透明薄板
２０２  透明小薄板
３０１  透明板
３０２  背幅部
３０３  クリップ
【図１】
2009286015.tif 000003
【図２】
2009286015.tif 000004
【図３】
2009286015.tif 000005
【図４】
2009286015.tif 000006
【図５】
2009286015.tif 000007
【図６】
2009286015.tif 000008
【図７】
2009286015.tif 000009
【図８】
2009286015.tif 000010
【図９】
2009286015.tif 000011
【図１０】
2009286015.tif 000012
【図１１】
2009286015.tif 000013
【図１２】
2009286015.tif 000014
【図１３】
2009286015.tif 000015